(57)【要約】【課題】使い勝手がよく、即応性があり、臭い、不衛生、人の目などを気にしないで済み、携行に便利で、かつ処理も簡単な犬の糞取り具を実現する。【解決手段】犬の糞取り袋の開口縁部を掛止した枠体及びこれに付設した柄からなる犬の糞取り具において、枠体と柄がプラスチック製で相互に１３５度になるように形成し、枠体を四節リンク機構で構成し、柄の根元のハンドル操作による引張力を、柄に内装の引張りロッドとギアパーツを介して四節リンク機構に伝達して枠体を開閉し、糞取り袋が水可溶性内袋と布製外袋の二重に構成し、そして枠体の外側に複数個の糞取り袋掛止用フックを形設してなる犬の糞取り具。【選択図】        図１
2007068483.tif 000002
【特許請求の範囲】
【請求項１】
犬の糞取り袋の開口縁部を掛止した枠体、及び該枠体に付設した柄からなる犬の糞取り具において、該柄の根元に形設したハンドルの操作により前記枠体が開閉し、そして前記犬の糞取り袋が二重に構成されてなることを特徴とする犬の糞取り具。
【請求項２】
前記枠体が、該枠体の外側に複数個の糞取り袋掛止用フックを形設したことを特徴とする請求項１記載の犬の糞取り具。
【請求項３】
前記枠体が、四節リンク機構を採用してなることを特徴とする請求項１及び２記載の犬の糞取り具。
【請求項４】
前記枠体及びこれに付設した柄が、プラスチック製で、前記枠体と前記柄は相互に１３５度になるように形成され、前記柄を洞貫して引っ張りロッドが内装されており、柄の根元のハンドルを握りハンドルレバーを引くと、その引っ張り力が引っ張りロッド、及びギアパーツを介して前記枠体を構成する四節リンク機構の一の節に枢支されたクランクレバーに伝達されて、該クランクレバーが引かれ、ねじりコイルばねの付勢力に抗して、該一の節回りのリンクを回動させて四節リンク機構の枠体が開状態に押し広げられ、ハンドルレバーを緩めるとねじりコイルばねの付勢力により元の閉状態に復することを特徴とする請求項１、２及び３記載の犬の糞取り具。
【請求項５】
前記四節リンク機構の一の節に枢支されたクランクレバーが、一方端部は該一の節を構成する２個のリンクの延長線上に枢支され、他方端部は重ねられて前記ギアパーツに連結されたことを特徴とする請求項１、２、３及び４記載の犬の糞取り具。
【請求項６】
前記犬の糞取り袋の二重構成が、内袋に水可溶性フィルム及び又は水可溶性紙を用い、そして外袋に不透明な布を用いることを特徴とする請求項１、２、３、４及び５記載の犬の糞取り具。
【請求項７】
前記ハンドルとハンドルレバーが、ハンドルレバーの握りの程度を中途状態で段階的に固定できる調節用紐環を、前記ハンドルの根元に取着したことを特徴とする請求項１、２、３、４、５及び６記載の犬の糞取り具。
【発明の詳細な説明】
【技術分野】
【０００１】
本発明は、犬の糞取り具、即ち犬の脱糞を直接受けてこれを収納し、携行し、そして廃棄する処理具に関する。
【背景技術】
【０００２】
最近のペットブームと健康志向に伴い、犬を連れて公園や道路を朝夕散歩する人が多く見られるようになった。狂犬病予防や人間に危害を与えるのを防止するため、犬は通常犬舎に入れるか、紐で繋いで飼わねばならない。表に出すときは、繋ぎを放さず、常に自己の管理下に置かなければならない。犬は歩き出すと、開放感と運動の刺激を受けて、散歩途中で便意を催すことが多い。
【０００３】
犬の脱糞を公園や道路にそのまま放置したのでは不衛生であり、美観も損なわれるので、これを持ち帰って適宜処理をするのは飼い主の責任である。中にはそのまま放置して帰る不心得者も散見される。社会道徳の無いこのような人は元々犬を飼う資格はないが、その原因は犬の糞が汚く、臭いので触りたくないからである。
【０００４】
常識のある普通の人は新聞紙、ポリ袋、分解性フィルム、スコップ、手袋等を持参し、新聞紙や分解性フィルムの上に直接脱糞させてそのまま丸めて持ち帰り、地面に脱糞したときはスコップを使ってポリ袋に入れ、または手袋をした手で地面の脱糞を拾い上げてポリ袋に入れ、新聞紙上に移し、新聞紙で包んで持ち帰って適宜処理をしている。
【０００５】
このような汚く嫌な作業の改善策として、簡便かつ衛生的に犬の脱糞を後始末する糞取り具に関し、数々の先行技術が提案されている。犬の脱糞を手で直接取るのに便利な手袋や、犬用の「おしめ」の提案もあるが、殆どが糞取り用袋をリング状のホールダに取着し、このホールダに柄を着設したいわゆる昆虫採集用の柄付き捕虫網に似た形状の糞取り具の提案である。何れの文献によるものも使い勝手が良いとは言い難い。
【特許文献１】特開２００３−１５８９３７
【特許文献２】特開２００４−０１６２１７
【特許文献３】特開２００２−０４５０７２
【特許文献４】特開平  ０７−２５５３０９
【特許文献５】実開平  ０５−０４３８５２
【特許文献６】実開平  ０６−０８４８４２
【特許文献７】実開平  ０７−０１３１３７
【特許文献８】実用新案登録３０８５３１４
【特許文献９】実用新案登録３１１１０２７
【発明の開示】
【発明が解決しようとする課題】
【０００６】
そこで、解決しようとする問題点は、使い勝手がよく、即応性があり、臭い、不衛生、人の目などを気にしないで済み、小型化されて携行に便利であり、かつ処理も簡単な犬の糞取り具を実現することである。
【課題を解決するための手段】
【０００７】
請求項１に係る発明は、犬の糞取り袋の開口縁部を掛止した枠体、及び該枠体に付設した柄からなる犬の糞取り具において、該柄の根元に形設したハンドルの操作により前記枠体が開閉し、そして前記犬の糞取り袋が二重に構成されてなることを特徴とする犬の糞取り具であることを要旨とする。
【０００８】
請求項２に係る発明は、前記枠体が、該枠体の外側に複数個の糞取り袋掛止用フックを形設したことを特徴とする請求項１記載の犬の糞取り具であることを要旨とする。
【０００９】
請求項３に係る発明は、前記枠体が、四節リンク機構を採用してなることを特徴とする請求項１及び２記載の犬の糞取り具であることを要旨とする。
【００１０】
請求項４に係る発明は、前記枠体及びこれに付設した柄が、プラスチック製で、前記枠体と前記柄は相互に１３５度になるように形成され、前記柄を洞貫して引っ張りロッドが内装されており、柄の根元のハンドルを握ってハンドルレバーを引くと、その引張力が引っ張りロッド、及びギアパーツを介して前記枠体を構成する四節リンク機構の一の節に枢支されたクランクレバーに伝達されて、該クランクレバーが引かれ、ねじりコイルばねの付勢力に抗して、該一の節回りのリンクを回動させて四節リンク機構の枠体が開状態に押し広げられ、ハンドルレバーを緩めるとねじりコイルばねの付勢力により元の閉状態に復することを特徴とする請求項１、２及び３記載の犬の糞取り具であることを要旨とする。
【００１１】
請求項５に係る発明は、前記四節リンク機構の一の節に枢支されたクランクレバーが、一方端部は該一の節を構成する２個のリンクの延長線上に枢支され、他方端部は重ねられて前記ギアパーツに連結されたことを特徴とする請求項１、２、３及び４記載の犬の糞取り具であることを要旨とする。
【００１２】
請求項６に係る発明は、前記犬の糞取り袋の二重構成が、内袋に水可溶性フィルム及び又は水可溶性紙を用いて水洗便所に流すことができ、そして外袋に不透明布を用いることを特徴とする請求項１、２、３、４及び５記載の犬の糞取り具であることを要旨とする。
【００１３】
請求項７に係る発明は、前記ハンドルとハンドルレバーが、ハンドルレバーの握りの程度を握りの中途状態で段階的に固定できる調節用紐環を、ハンドルの根元に取着したことを特徴とする請求項１、２、３、４、５及び６記載の犬の糞取り具あることを要旨とする。
【発明の効果】
【００１４】
本発明の犬の糞取り具は、捕虫網型犬の糞取り具を軽量小型化して即応性を持たせ、臭いや不衛生の面に煩わされることがなく、小型化されて携行に便利であり、人の目を気にしないで済み、そして処理が簡便であるから使い勝手がよく、プラスチック製のため耐久性があり、長寿命である。
【発明を実施するための最良の形態】
【００１５】
本発明の犬の糞取り具を具体化した実施の形態について以下図面を用いて説明する。
【実施例１】
【００１６】
図１は、本発明の犬の糞取り具１を示す斜視図である。犬の糞取り具１は、犬の糞取り袋２、糞取り袋２を掛止する枠体３、ギアパーツ６を介して連結された柄４、柄４の根元に形設されたハンドル５及びハンドルレバー５１から構成される。枠体３はリンク機構をとり、ハンドル５の操作で開閉する。柄４は、ギアパーツ６の水平部すなわち枠体３の開口面に対し４５度の傾斜角をなすようにした。犬の脱糞を斜め後ろから確認して、ハンドルレバー５１を引いて枠体３を広げ、開状態の糞取り袋２が掛止され枠体３を素早く犬の後ろ足の間に差し込むには、この角度が望ましい。ハンドル５の根元には、ハンドルレバー５１を握る深さを段階的に調節して固定する調節用紐環５５が取着されている。
【００１７】
枠体３のリンク機構及びこれに連結する柄４は、プラスチックの射出成型により形成した。枠体３を構成するリンク機構において、リンクＡＢ、リンクＢＤ、リンクＤＣ及びリンクＣＡの両端部を連結する節Ａ、Ｂ、Ｃ及びＤは、同じ節同士重ね合わせて回動自在に形成した。その際、各節中央の枢軸部中心に金属ピンを差込み、両側から節部材で塞いで挟入状態にした。節Ａは、節Ｂ、Ｃ及びＤと異なり、ハンドル５の引張力Ｆを受けてリンク機構を開閉する構成を持たせる関係上、より大口径の円筒体となり、中央の枢軸部にねじりコイルばねを軸着し、リンクＢＡとリンクＣＡの延長線上にクランクレバー３３の枢支点を設け、ハンドル５の引張力を受けられるようにした。
【００１８】
図２は、ハンドル５の作用を示す説明図、そして図３は、ギアパーツ部６の作用を示す説明図である。ハンドル５とハンドルレバー５１を握り、ハンドルレバー５１を握り締めて引く（曲線矢印）と、ハンドルレバー５１は支点５２回りに矢印Ｆの方向に回動する。そのとき、ハンドルレバー５１の穴５３が、柄４に内装されたロッド７の突起７１と係着しているので、ロッド７は直線矢印Ｆの方向に引っ張られる。ロッド７が引っ張られることにより、ギアパーツ部６に組み込まれたクランクレバー６１と枢支点６２を介し、歯型６３を回動させ、これと咬合するラック６４を直線矢印Ｆの方向に移動させる。そして、この引張力Ｆが枠体連結部９に伝達される。
【００１９】
図４は、リンクＡＢ及びリンクＡＣの平面図、そして図５は、リンク機構ＡＢＤＣの平面図である。リンク機構の各節中央部にはリンク枢支軸３２が形成され、中心に金属ピンが差し込まれ、リンクＡＢ及びリンクＡＣの節Ａが重ね合わされ、挟入された状態となる。リンクＡＢの節Ａ中央のリンク枢支軸３２にねじりコイルばね３４を軸着し、ねじりコイルばねアーム３０をねじりコイルばねアームストッパー３５に止める。リンクＢＡの延長線上にクランクレバー枢支軸３６を立設し、これにクランクレバー３３を軸着する。そして、リンクＡＢ及びリンクＡＣの節Ａを重ね合わせる。このとき、両リンク枢支軸３２に金属ピンが挟入するようにし、ねじりコイルばね３４の他方アーム３０をストッパー３７に止める。同様の手順により節Ｂ、節Ｄ、節Ｃについて重ね合わせて、ビス止めし、構成したのが図５に示すリンク機構である。
【００２０】
図６及び図７は、枠体３を構成するリンク機構の作用を示す説明図、図８は、その作用を示す模式図である。図６はリンク機構の閉状態であり、そして図７はその開状態である。リンク枢支軸３２を挟み、リンクＢＡの延長線上の枢軸３６（リンクＢＡの節Ａ面）にクランクレバー３３の一方端が、リンクＣＡ延長線上の枢軸３６（リンクＣＡの節Ａ面）にクランクレバー３３の一方端が夫々軸着され、そしてクランクレバー３３の他方端は連結部材９の枢軸３８に共に軸着される。ハンドルレバー５１による引張力は、図７の矢印の方向に加わるからリンク枢支軸３２回りにトルクを生じ、ばね３４の付勢力に抗し角ＢＡＣを減少させる、即ちリンク機構ＡＢＤＣを広げ、開状態の方向に働く。ハンドルレバー５１を緩めれば、ねじりコイルばね３４の付勢力により、元の閉状態に戻る。
【００２１】
犬には大型から小型まで各種ある。それらに適合するように、リンク機構ＡＢＤＣを広げ、使用できるようにしたのが図１、２に示した調節用紐環５５である。調節用紐環５５はハンドル５の根元に開設された調節用紐環取着孔５４に挿通し、両端を揃えて紐長調節用金属管５６に挿通して定着させ、紐の両端を結んで使用する。紐環５５の大型は、金属管５６の移動により調節する。大型犬なら環径最小の環を形成して、その環をハンドルレバー５１に掛着して、開かれたリンク機構ＡＢＤＣの面積を固定する。中、小型犬には、それに対応した環径を形成し、リンク機構ＡＢＤＣの面積を固定すればよい。
【００２２】
犬の糞取り袋２は内袋に水可溶性のものを用い、外袋には布製のものを用いる。内袋２１を枠体３の開口部に下から上に通し、内袋２１の開口縁を枠体３の外側に垂れ下げ、ボタン穴を枠体３のフックに掛着して使用する。こうすれば枠体３が糞で汚れることはない。また、内袋２１は水可溶性フィルムのため水洗処理が可能である。内袋２１を掛着したフックに重ねて、内袋２１を包み込むように布製外袋を掛着する。外袋は布製で不透明のため、外から中味は見えない。そのため、外観上人に不快感を与えることはない。
【産業上の利用可能性】
【００２３】
従来のものに比し、本発明の犬の糞取り具１は、小型軽量で即応性があり、使い勝手が良いので、ペットブームの昨今需要増が期待され、プラスチック工業等の維持発展に寄与することができる。
【図面の簡単な説明】
【００２４】
【図１】本発明の犬の糞取り具１の斜視図である。
【図２】ハンドル５の作用を示す説明図である。
【図３】ギアパーツ部６の作用を示す説明図である。
【図４】枠体３を構成するリンクＡＢ及びリンクＡＣの平面図である。
【図５】枠体３を構成するリンク機構ＡＢＤＣの平面図である。
【図６】枠体３を構成するリンク機構ＡＢＤＣの作用を示す説明図である。
【図７】枠体３を構成するリンク機構ＡＢＤＣの作用を示す説明図である。
【図８】枠体３を構成するリンク機構ＡＢＤＣの作用を示す模式図である。
【符号の説明】
【００２５】
１    犬の糞取り具
２    犬の糞取り袋
３    枠体
４    柄
５    ハンドル
６    ギアパーツ部
７    ロッド
８、３３、６１  クランクレバー
９    連結部材
２１  内袋（水可溶性）
３０  ねじりコイルばねのアーム
３１  袋掛止用フック
３２  リンク枢支軸
３４  ねじりコイルばね
３５、３７  ねじりコイルばねアームストッパー
３６  クランクレバー枢支軸
５１  ハンドルレバー
５２  支点
５３  ロッド引っ張り用穴
５４  調節用紐環取着孔
５５  調節用紐環
５６  紐長調節用金属管
６２  枢支軸
６３  回動歯型
６４  ラック
７１  ロッド引っ張り用突起
Ａ、Ｂ、Ｃ、Ｄ  節
ＡＢ、ＡＣ、ＢＤ、ＣＤ  リンク
Ｆ    引張力
【図１】
2007068483.tif 000003
【図２】
2007068483.tif 000004
【図３】
2007068483.tif 000005
【図４】
2007068483.tif 000006
【図５】
2007068483.tif 000007
【図６】
2007068483.tif 000008
【図７】
2007068483.tif 000009
【図８】
2007068483.tif 000010